(57)【特許請求の範囲】
【請求項１】
高電圧の印加された電気柵を張り巡らせて、害獣の侵入を防止する電気柵システムにおいて、
前記電気柵の支柱に対して、プラスとマイナスの両電位の裸電線を、金属線を曲げ加工してなる導電性フック碍子により複数段に配線すると共に、前記両電位の裸電線間の支柱部分には、前記プラス電位の裸電線と通電されたプラス電位延設部、又は／及び前記マイナス電位の裸電線と通電されたマイナス電位延設部を、前記導電性フック碍子から延設させて設けたことを特徴とする電気柵システム。
【請求項２】
高電圧の印加された電気柵を張り巡らせて、害獣の侵入を防止する電気柵システムにおいて、
前記電気柵の支柱に対して、プラスとマイナスの両電位の裸電線を、金属線を曲げ加工してなる導電性フック碍子により複数段に配線すると共に、前記両電位の裸電線間の支柱部分には、前記プラス電位の裸電線と通電されたプラス電位延設部、又は／及び前記マイナス電位の裸電線と通電されたマイナス電位延設部を、前記支柱の側面に設けた導電性テープ、又は導電性塗料として設けたことを特徴とする電気柵システム。
【発明の詳細な説明】
【技術分野】
【０００１】
本発明は、猪や鹿、猿などの害獣が侵入するのを防ぐために施設される電気柵システムに関するものである。
【背景技術】
【０００２】
近年、猪や鹿、猿などの害獣による、農作物の被害が目立ってきている。
害獣による被害は、年々増加傾向にあり、その被害額は年間、二百数十億円にもなり、政府の補助金も、百数十億円と高額に膨らんできている。
この害獣被害を防止するため、現在、一般的に用いられているのが、高電圧（パルス波電圧）を印加させた裸電線を張り巡らせてなる電気柵で、耕作地エリアなどを囲い、害獣の侵入を防止する、電気柵システムである。
この電気柵システムそしては、多数提案されているが、例えば、特許文献１、２を挙げることができる。
【先行技術文献】
【特許文献】
【０００３】
【特許文献１】特開２０１２−０８５６１２号公報
【特許文献２】特開２０１２−１３５２６２号公報
【０００４】
このような電気柵システムにおいて、害獣が猿の場合、特別な問題がある。
猿の場合、猪や鹿などと違い、手足が自由なため、柵内に侵入するとき、電気柵の支柱部分をよじ登って、入ることがある。
つまり、支柱部分において、例えば、裸電線のない支柱自体を手で握り、足で踏み込むなどして、裸電線に触れることなく、侵入することができる。或いは、プラスやマイナス電位の一方の裸電線に触れるだけで、侵入することができる。
この場合、猿には、通電が起らないため、感電ショックが発生しない。つまり、猿に対する、撃退効果が得られない。また、感電による教育効果も、期待できない。
【発明の概要】
【発明が解決しようとする課題】
【０００５】
本発明は、このような従来の電気柵の問題点に鑑みてなされたもので、通常の害獣は勿論のこと、特に猿が電気柵の支柱部分から侵入するのを防止するようにした電気柵システムを提供せんとするものである。
【課題を解決するための手段】
【０００６】
請求項１の本発明は、高電圧の印加された電気柵を張り巡らせて、害獣の侵入を防止する電気柵システムにおいて、
前記電気柵の支柱に対して、プラスとマイナスの両電位の裸電線を、金属線を曲げ加工してなる導電性フック碍子により複数段に配線すると共に、前記両電位の裸電線間の支柱部分には、前記プラス電位の裸電線と通電されたプラス電位延設部、又は／及び前記マイナス電位の裸電線と通電されたマイナス電位延設部を、前記導電性フック碍子から延設させて設けたことを特徴とする電気柵システムにある。
【０００７】
請求項２の本発明は、高電圧の印加された電気柵を張り巡らせて、害獣の侵入を防止する電気柵システムにおいて、
前記電気柵の支柱に対して、プラスとマイナスの両電位の裸電線を、金属線を曲げ加工してなる導電性フック碍子により複数段に配線すると共に、前記両電位の裸電線間の支柱部分には、前記プラス電位の裸電線と通電されたプラス電位延設部、又は／及び前記マイナス電位の裸電線と通電されたマイナス電位延設部を、前記支柱の側面に設けた導電性テープ、又は導電性塗料として設けたことを特徴とする電気柵システムにある。
【発明の効果】
【００１１】
本発明によると、電気柵の支柱部分にプラス電位延設部、マイナス電位延設部を設けてあるため、害獣、特に猿が支柱部分をよじ登って、侵入しようとするとき、このプラス電位延設部やマイナス電位延設部に触れることになる。
【００１２】
つまり、支柱部分において、裸電線の間の側面側にラス電位延設部やマイナス電位延設部が延ばしてあるため、猿が支柱部分をよじ登る際、手、足などとの間で通電し、感電する。これにより、猿に対する高い撃退効果が得られ、また、教育効果も得られる。
【図面の簡単な説明】
【００１３】
【図１】本発明に係る電気柵システムの一例を示した概略説明図である。
【図２】支柱部分における裸電線の配線状態を示した概略図である。
【図３】導電性フック碍子部分における裸電線と通電されたプラス電位延設部、又はマイナス電位延設部の一例を示した概略図である。
【図４】図３の導電性フック碍子における概略平面図である。
【図５】導電性フック碍子部分における裸電線と通電されたプラス電位延設部、又はマイナス電位延設部の他例を示した概略図である。
【図６】導電性フック碍子部分における裸電線と通電されたプラス電位延設部、又はマイナス電位延設部の他例を示した概略図である。
【図７】導電性フック碍子部分における裸電線と通電されたプラス電位延設部、又はマイナス電位延設部の他例（Ａ）、（Ｂ）を示した概略図である。
【図８】図１の電気柵システムにおけるシステム本体の一例を示した概略ブロック図である。
【図９】図７の害獣検知センサ部におけるデータ表示手段の例（Ａ）、（Ｂ）を示した概略正面図である。
【図１０】図７の害獣検知センサ部の携帯型のデータ表示手段の一例を示した概略正面図である。
【発明を実施するための形態】
【００１４】
図１は本発明が適用される電気柵システムの一例を示したものである。
図中、１０は農作物の農耕地エリア、２０は農耕地エリア１０の周りに張り巡らされた電気柵、３０は高電圧の印加された裸電線（柵線）である。なお、電気柵エリアは農耕地に限定されない。害獣の被害が予想される種々の施設、畜舎、神社、仏閣、庭園、観光地エリアなども含まれる。
【００１５】
電気柵２０の裸電線３０は、一例として、５段の配線として、支柱（ポール）４０にフック碍子４１を介して、支えられている。これは害獣の猿を想定した配線である。
ここで、図２に示すように、支柱４０の高さは、例えば２１０ｃｍとし、電線間の間隔は３０ｃｍとし、隣接する支柱間の間隔は３〜４ｍとしてある。
なお、基本的に配線の段数や支柱４０の高さは、特に問わない。予想される害獣の種類に対応して変えることができる。害獣の種類によって、体高が違うからである。また、配線間隔や支柱間隔も、害獣の種類に応じて変えることができる。
【００１６】
農耕地エリア１０には、作業などの際、出入りすることが必要であるため、出入口として、裸電線３０を適宜外すことのできるゲートグリップ５０が設けてある。
ゲートグリップ５０の構造は特に限定されない。例えば、握り部５１をプラスチックなどの絶縁体で形成し、この握り部５１の一端に、裸電線３０と接続させた導電性のフック（鉤部、図示省略）を設ける一方、相手方の支柱４０の裸電線３０側にも、互い着脱可能な導電性のフック（鉤部、図示省略）を設けるとよい。
そして、農耕地エリア１０に入るときには、握り部５１をもって、互いのフックを離脱させる。なお、ゲートグリップ５０の設置箇所は、一箇所に限定されない。
【００１７】
６０は電気柵システムの装置本体が納められたシステム本体（函体）で、通常農耕地エリア１０の脇に設置される。この本体も、基本的に害獣として猿を想定したものである。
図１に示すように、システム本体６０のプラス電位の端子６１ａからの高圧線（リード線）６１を、電気柵２０の５段の裸電線３０のうち、プラス電位となる上段、中央、下段の３本に結線させてある。一方、システム体６０のマイナス電位の端子６２ａからのアース線（リード線）６２は、地中にアースさせると共に、５段の裸電線３０のうち、上記プラス電位以外のマイナス電位となる２本に結線させてある。
【００１８】
このシステム本体６０からは、電気柵２０のプラス電位の裸電線３０に対して、高電圧のパルス波電圧（例えば１万Ｖなど）が印加させてある。
従って、例えば、害獣の猿７０が、農耕地エリア１０に侵入しようとして、裸電線３０に触れれば、いろいろな形で感電する。例えば、プラス電位の裸電線３０に猿の手が触れる一方で、足や身体が地面に触れたり、マイナス電位の裸電線３０に触れれば、プラス電位の裸電線３０、猿７０の身体、土地（接地）や、マイナス電位の裸電線３０の順で電流が流れて、感電する。
【００１９】
この感電によって、猿７０は、電気ショックを受ける（人の場合、靴が絶縁体のため通電せず、感電することはない）。このときの電流値は小さいため、猿も、感電死することはないが、高電圧のため、猿７０に対する衝撃は極めて大きい。
この電気ショックによって、猿７０の撃退が効果的に行われる。一度、電気ショックを受けると、教育効果により、次回の害獣侵入はある程度未然に防止される。また、猿が仲間同士でコミニケイショウンできる害獣であれば、仲間の猿に対しても、防止効果が期待できる。
【００２０】
上記の侵入形態は、支柱４０と支柱４０の間の裸電線３０部分からの侵入であるが、猿の場合、猪や鹿などに比べて、手足が自由な上に、知的レベルも高いため、不安定な配線部分からの侵入の他に、支柱部分をよじ登って侵入することが想定される。また、実際、よじ登って侵入することが確認されている。
この場合、支柱部分において、裸電線３０の間の間隔は３０ｃｍ程度あるため、猿が手で、ちょうど裸電線３０の無い支柱部分を握り、足を支柱部分に引っ掛けるなどして、よじ登れば、感電することなく、登り切ることができる。つまり、猿の侵入が可能となる。
【００２１】
本発明では、このようなよじ登る形態の侵入も、効果的に対応することができる。
先ず、支柱４０として、絶縁性のものを用いる。例えば、繊維強化プラスチック（ＦＲＰ）などの樹脂製の中空支柱などを挙げることができる。金属製の中空支柱の場合には、表面に絶縁処理を施したものを用いる。なお、支柱４０は中空体のものに限らない。
この支柱４０に装着される、フック碍子４１としては、例えば、図３、図４に示すような、金属線の加工体からなるものを用いる。
【００２２】
このフック碍子４１は、金属線製のため、導電性を有する導電性フック碍子で、３０ｃｍ未満の長さで下方に延びる（この長さは、裸電線３０間の間隔により、随時変更可能である）、プラス又はマイナス電位延設部４１ａを設けてある。
この導電性フック碍子４１は、中央部分には、支柱４０に装着される、コイル状の装着部４１ｂがあって、この装着部４１ｂの左右外方に延びる三角形などのフック部４１ｃ、４１ｃを作業者が手で持って、少々縮めると、装着部４１ｂの内径が大きくなるようになっている。このため、支柱４０に簡単に嵌め込むことができる。嵌め込んだ後、手を放せば、装着部４１ｂが縮径して、支柱４０に装着される。裸電線３０は、例えば、このフック部４１ｃに通すなどして引っ掛けられる。
【００２３】
この裸電線３０の引っ掛けにあたっては、いろいろな方法がある。
例えば、裸電線３０の先端を、順次フック部４１ｃ、４１ｃに通して引っ掛ける方法もあるが、予め裸電線３０を長く引き出した後、支柱４０のフック碍子４１に引っ掛ける場合もあり、この際には、三角形などに曲げられたフック部４１ｃの重なり合う隙間から、裸電線３０をフック部４１ｃの内側に入れる必要がある。
このとき、プラス又はマイナス電位延設部４１ａが長く延びて、その先端が支柱４０の側面に密着していると、隙間が狭くて通し難いので、好ましくは、先端に外向きに曲げるなどした隙間形成部４１１ａを設けるとよい。
なお、本発明のプラス又はマイナス電位延設部４１ａの無いものは、既存の市販品として、販売されており、本発明の碍子は、その改造品（特注品）ということができる。
つまり、市販品の改造品で済むため、比較的安価な入手が可能である。
【００２４】
この導電性フック碍子４１は、プラス電位の金属線３０も、マイナス電位の金属線３０の場合も、共用される。プラス電位の金属線３０を止める場合には、下方に延びる延設部は、プラス電位延設部４１ａとなって、支柱４０の側面に添って垂下する。
また、マイナス電位の金属線３０を止める場合には、下方に延びる延設部は、マイナス電位延設部４１ａとなって、支柱４０の側面に添って垂下する。
【００２５】
このため、害獣の猿７０が、侵入に際して、支柱４０をよじ登ろうとして、手で支柱４０を握り、足を支柱４０に引っ掛けるなどしたとき、手や足が、ちょうどプラス電位延設部４１ａとマイナス電位延設部４１ａに触れることになれば、感電する。
このとき、プラスやマイナスの電位延設部４１ａは、下方に延びて、ほぼ隙間無く、裸電線３０間の支柱４０部分を塞ぐため、猿は、支柱４０部分をよじ登る場合、電位延設部４１ａに触れて、感電することになる。
つまり、猿がよじ登る際、その手が何処を握り、足が何処に引っ掛けるかは、支柱４０部分において、種々のケースが想定されるが、プラスやマイナスの電位延設部４１ａが、支柱４０部分の裸電線３０、３０の間をほぼ隙間なく延びているため、ほぼ全てのケースに対応して、感電させることができる。
【００２６】
プラスやマイナスの電位延設部４１ａは、下方に延びる延設部としたが、逆に、上方に延びる延設部とすることも可能である。この場合、一番上端の導電性フック碍子４１は、電位延設部の無いものでもよい。
また、導電性フック碍子４１として、左右のフック部４１ｃ，４１ｃから、下方に延びる延設部と上方に延びる延設部の両方を設けたものとすることもできる。この場合、プラスやマイナスの電位延設部４１ａが、上下の碍子間で干渉しないように、それぞれの延設部の位置をずらした形態の２種類のものを用意するとよい。
上記導電性フック碍子４１は、金属線の加工体からなるものであったが、裸電線３０を止める構造部分があって、プラスとマイナス電位の延設部４１ａを有するものであれば、本発明は、これに限定されない。
【００２７】
図５は、本発明の他の実施例を示したものである。
この実施例では、上記プラス又はマイナス電位延設部４１ａを有する、導電性フック碍子４１に代えて、市販品の導電性フック碍子４２を使用する一方、別体で一種の付属品といえる、プラス又はマイナス電位延設部４３を使用するものである。
この導電性フック碍子４２は、中央部分のコイル状の装着部４２ｂの左右外方に三角形などのフック部４２ｃ、４２ｃを有してなり、これは、既述したように、既存の市販品であるため、安価な入手が可能である。
また、付属品のプラス又はマイナス電位延設部４３も、形状が簡単で、例えば金属線などの曲げ加工体などとして得られるため、低コストでの提供が可能である。
【００２８】
具体的には、一例として、その先端側を鉤型などに曲げて、引掛部４３ａとし、この引掛部４３ａを導電性フック碍子４１のフック部４１ｃの根元などに引っ掛けて、その長い延設部分を、支柱４０に添って垂下させて、使用すればよい。
勿論、この引っ掛けにより、金属線などの導電性部材からなる、プラス又はマイナス電位延設部４３の全長には、裸電線３０から、所定の電圧が印加される。
これにより、猿は、支柱４０部分をよじ登ろうとすれば、感電する。
このプラス又はマイナス電位延設部４３は、形状も簡単で、その引掛部４３ａを単に引っ掛けるだけでよいため、作業自体が簡単で、良好な作業性が得られる。
このとき、下端の先端が不安定な場合には、接着テープなどで固定すればよい。
【００２９】
図６は、本発明の他の実施例を示したものである。
この実施例では、市販品の導電性フック碍子４２を使用する一方、プラス又はマイナス電位延設部４４を、支柱４０部分の側面に設けた、導電性テープ、導電性塗料、金属薄板、裸電線（特に薄手のフラット電線）などからなる、別体として、構成したものである。
勿論、この導電性フック碍子４２は、市販品であるため、安価な入手が可能である。
【００３０】
この場合、導電性フック碍子４２を支柱４０部分に装着すれば、別体のプラス又はマイナス電位延設部４４が内側に挟まれるため、電気的に接続されて、通電状態となる。
つまり、裸電線３０、導電性フック碍子４２を通じて、プラス又はマイナス電位延設部４４の全長に渡って、所定の電圧が印加される。
これにより、碍子は市販品で済み。また、プラス又はマイナス電位延設部４４は、碍子自体とは別体であるため、その長さや幅、形状などは自在に設定することができる。
また、支柱４０の加工時などにおける、工場段階で設ければ、正確に、かつ、比較的安価に形成することができる。勿論、現場での形成も可能である。
【００３１】
図７（Ａ）、（Ｂ）は、本発明の他の実施例を示したものである。
図７（Ａ）の実施例では、プラス又はマイナス電位延設部４４を、図６の場合と同様の構成として、支柱４０部分に複数設けてある。勿論、その長さや幅、形状などは自在に設定することができる。
この複数の電位延設部４４を、全て同一電位とした場合は、猿に対する通電機会をより高めることができる。また、複数の電位延設部４４にあって、例えば、互い違いにプラス電位とマイナス電位を組み合わせれば、猿が手で握っただけで感電させることができる。つまり、高い感電性が得られる。
【００３２】
図７（Ｂ）の実施例では、プラス又はマイナス電位延設部４４を、図６の場合と同様の構成として、支柱４０部分に螺旋状に設けてある。勿論、その長さや幅、形状などは自在に設定することができる。
この場合も、螺旋状の電位延設部４４を、全て同一電位とした場合は、猿に対する通電機会をより高めることができる。また、複数の螺旋状の電位延設部４４として、例えば、互い違いにプラス電位とマイナス電位を組み合わせれば、猿が手で握っただけで感電させることができる。つまり、高い感電性が得られる。
【００３３】
このような害獣の猿などの侵入防止は、上記したシステム本体６０により行われる。
図８はシステム本体６０の概略を示した、概略ブロック図である。
１００はシステムの駆動に必要とされる電気部品や電子素子などの装置系が組み込まれたＣＰＵ内臓の制御部で、この制御に必要なプログラムやデータなどはメモリー部１１０に格納させてある。
【００３４】
システム本体６０は、複数の電源に対応することができる。つまり、制御部１００には、電源切替部（手段）１２０を通じて、複数の電源１〜３が接続できる。
例えば、電源１は乾電池、電源２は自動車用バッテリー、電源３はソーラーパネルからなる太陽光電池である。電源はこれに限定されず、システム本体６０の設置場所まで、ＡＣ電源の接続線（延長コードや電柱配線など）で給電することもできる。小型発電機で対応することもできる。
【００３５】
電源電圧は、通常１２Ｖ程度で、裸電線３０の全延長距離によって、電源種を選べばよい。例えば、全延長距離が３Ｋｍ程度の場合は、乾電池や太陽光電池で十分対応できる。全延長距離が６〜９Ｋｍ程度と長い場合には、自動車用バッテリーの使用が好ましい。
本システム本体６０の場合、例えば、単一のアルカリ乾電池８本の使用では、１日１２時間使用する場合、５０日間ほど対応することができる。なお、電源電圧は１２Ｖに限定されず、例えば６Ｖや２４Ｖなどとすることもできる。
【００３６】
電源の消耗は、本システムの場合、重要である。このため、稼働状態（例えば、連続（終日）、夜間、昼間、切断など）が選択できる稼働切替スイッチ１３０を、システム本体６０の正面などに取り付け、制御部１００に連携させてある。
また、システム本体６０の正面などには、稼働時に点灯（点滅も可）する出力ランプ１４０、屋外の輝度（明るさ）を検知する受光センサ１５０が設けてあり、これらも、制御部１００に接続させてある。
【００３７】
稼働切替スイッチ１３０（回転式）は、害獣の進出状況に応じて、使い分ける。
例えば、猿７０の接触が、終日に渡る場合には、スイッチ１３０を連続目盛に合わせる。接触が夜間の場合には、スイッチ１３０を夜間目盛に合わせる。接触が昼間の場合には、スイッチ１３０を昼間目盛に合わせる。季節的な稼働不要時期や緊急時には、スイッチ１３０を切断目盛に合わせる。これらの操作によって、電源消費の節約が図られる。
【００３８】
また、稼働切替スイッチ１３０の夜間稼働時や昼間稼働時、その稼働終了には、例えば、時間を決めて、手動で切り替えてもよい。
本システムでは、受光センサ１５０が設けてあるため、このセンサの働きによって、自動的に切り替えることができる。例えば、夜間稼働時には、朝、受光センサ１５０での受光が所定の輝度値を超えたら、スイッチオフとし、夕方、所定の輝度値以下となったら、スイッチオンとする。昼間稼働時には、逆に、夕方、所定の輝度値以下となったら、スイッチオフとし、朝、所定の輝度値を超えたら、スイッチオンとして動作させる。
これらの駆動は、メモリー部１１０に格納してある受光センサ用のプログラム（受光センサ駆動手段）と制御部１００によって行われる。
この駆動によって、設置現場まで、行くことはなく、スイッチ操作の手間が省ける。また、スイッチ操作の忘れ防止の効果も得られる。
【００３９】
２００は害獣検知センサ部で、システム本体６０の制御部１００と連携させてある。この駆動は、メモリー部１１０に格納してある害獣検知センサ部用のプログラム（害獣検知センサ部駆動手段）と制御部１００によって行われる。
【００４０】
害獣検知センサ部２００は、少なくとも、電気柵２０への害獣の接触を検知する害獣接触検知手段２１０と、この検知をカウント（計数）する接触カウント手段２２０と、接触カウントのデータを表示するデータ表示手段２３０からなる。好ましくは、害獣接触時の接触日時を記録する接触日時記録手段２４０を設けるとよい。この手段の接触日時は、通常、接触回数（カウント数）と共に、データ表示手段２３０に表示させる。
【００４１】
害獣接触検知手段２１０は、害獣の猿７０が電気柵２０へ接触すると、前記したように、裸電線３０、猿７０の身体、土地（接地）の順や、プラス電位の裸電線３０、猿７０の身体、マイナス電位の裸電線３０の順などで電流が流れるため、このときの電流の変化や電圧の変化を検知する電気回路で構成する。
この検知をカウントする接触カウント手段２２０は、検知回数を記憶するものであればよい。例えば、カウンタ部品で構成する。ソフト的なカウント記憶部として、制御部１００側のメモリー部１１０に設けることもできる。
【００４２】
データを表示するデータ表示手段２３０は、表示機能を有するものであれば、特に問わない。例えば、液晶表示器が挙げられる。猿の接触回数のみであれば、ＬＥＤなどの７セグメント型の数字表示器でも対応することもできる。
接触日時記録手段２４０は、猿７０の接触時の日時、詳しくは時刻を含めて、記録する手段である。具体的には、例えば、制御部１００に内臓させてあるカレンダ機能手段と時計手段の日時、時刻を参照して、害獣接触の該当日時、時刻を記録するものである。
この記録手段は、単独の記憶素子で対応してもよいが、ソフト的な日時記憶部として、制御部１００側のメモリー部１１０に設けることもできる。
【００４３】
データ表示手段２３０の例を示すと、図９（Ａ）、（Ｂ）の如くである。
図９（Ａ）は１行表示タイプの液晶表示器２３０ａである。
先頭の数字「３」は接触回数、２３１はそのタイトル名である。後の表示は１回目の接触日時、２３２はそのタイトル名である。接触回数は１回と限らないため、次の２回目以降の表示は、例えば、近傍に設けた切替ボタン（スイッチ）２３３の操作で、切り替えるようにしてある。２３４は表示をリセットするためのリセットスイッチである。
この場合、表示器が小型でよいため、コストダウンが図られる。
【００４４】
図９（Ｂ）は複数行表示タイプの液晶表示器２３０ｂである。
上段の数字「３」は接触回数、２３１はそのタイトル名である。下段の表示は複数回の接触日時、２３２はそのタイトル名である。この場合、接触回数が多いと、便利である。例えば、接触回数の表示数を１０行とした場合、これを超えるときには、近傍に設けた切替ボタン（スイッチ）２３３の操作で、切り替えるようにしてある。２３４は表示をリセットするためのリセットスイッチである。
この場合、表示器が大型でコストアップとなるが、視認性が向上する。勿論、切替操作回数の大幅な低減が図れる。
【００４５】
このような害獣検知センサ部２００があると、猿７０が電気柵２０に触れたとき、或いは、支柱４０部分をよじ登ろうとしたとき、その接触は、害獣接触検知手段２１０で検知され、直ちに接触カウント手段２２０でカウントされる。かつ、接触日時記録手段２４０があると、その接触日時も記憶され、接触回数と共に、液晶表示器２３０ａ、２３０ｂに表示される。
【００４６】
これによって、猿７０が、耕作地エリア１０に侵入するまでは至らなくとも、単に電気柵２０に触れるだけで、そのことを知ることができる。
また、害獣検知センサ部２００があると、接触回数や接触日時が解るため、猿７０の終日（日中）における活動状況が解る。夜間中心か、人出のない早朝や夕暮れ時かなどが解る。さらに、季節の活動状況も解る。
この結果、不要な時間帯や季節には、電源オフとすることができる。つまり、きめ細かな電気柵システムの管理が可能となる。結果として、コストダウンが図られる。
【００４７】
電気柵２０には、猿７０だけでなく、ときに草木の成長や草木の揺れなどで、これらが電気柵２０に触れるときがある。このときも、猿７０の場合と同様、通電して、電流の変化や電圧の変化が起こる。ただし、草木の場合、猿の身体に比べて、抵抗値が大きいため、その変化値は小さい。
従って、好ましくは、この特性に着目して、誤動作防止手段２５０を設けるとよい。つまり、草木の接触程度では動作させない手段である。
【００４８】
この手段としては、猿７０や草木の接触時における、電流や電圧の変化値を一時的に保存する変化値保存手段と、害獣接触時の想定される変化値（想定基準値）が保存されている基準値保存手段と、これらを比較して判定する比較判定手段とで構成するとよい。
害獣接触検知手段２１０で、検知された電流や電圧の変化値が、想定基準値に達しているか否かを、比較判定手段で判断して、想定基準値に達しているときのみに、接触カウント手段２２０などを駆動させればよい。
これによって、草木の接触時による誤動作は防止される。つまり、害獣検知センサ部２００の高い信頼性が確保される。
【００４９】
害獣検知センサ部２００を設けた場合、最近の多様な通信手段と連携させて、多彩な電気柵システムの管理態様を実現することができる。
例えば、害獣検知センサ部２００に送信部２６０、受信部２７０を設け、これらに必要な通信プログラム、応用ソフトを制御部１００のメモリー部１１０に格納させておく。
そして、これらの通信プログラム、応用ソフトと連携される、同種の通信プログラム、応用ソフトの内臓された外部機器と連携させて、種々の連携動作をさせることができる。
外部機器としては、例えば、カメラ３００、パソコン機器などのコントローラ（電子機器）４００、携帯電話５００などが挙げられる。さらに、データ表示手段２３０を携帯型の液晶表示器として連携させることもできる。
【００５０】
先ず、カメラ３００との連携について説明する。
このカメラ３００は、害獣検知センサ部２００の送信部２６０からの信号により、駆動すると共に、電気柵エリアの全部、又は一部を撮像する位置に設置しておく。
猿７０が電気柵２０に接触すると、害獣接触検知手段２００の検知信号を、その送信部２６０により、カメラ３００に送信して、カメラ３００を駆動させ（シャッターオンにして）、電気柵エリアの全部、又は一部を撮像する。
【００５１】
カメラ３００と害獣検知センサ部２００間の連携は無線や有線を問わない。カメラ３００の画像は静止画でも、動画でもよい。また、カメラ３００の設置箇所は一箇所に限らず、複数箇所とすることもできる。
【００５２】
カメラ３００の撮像画像は、一旦内臓の付属メモリー（ＳＤやＳＤＨＣ、ＳＤＸＣカードメモリーなど）に保存される。最も簡単な画像の確認は、カメラ自体の表示器（液晶パネル）に写し出して、目視すればよい。
これによって、害獣の種類、頭数、親子関係、群れの有無、接触箇所などの多数の情報が得られる。また、耕作地エリア１０の地形（草木が少ない、隠れ場所が少ないなど）や外部の道路付けなど（人や車の通る道路が近いなど）、周辺施設（人の出入りする施設が近い）などと害獣７０の進出状況との相関関係などの解明も可能となる。
つまり、データに基づいた合理的な電気柵システムの管理が可能となる。
そして、例えば、不要な電気柵部分が解れば、電気柵自体の縮小を図ることができる。これで、コストダウンが得られる。さらに、進んで、そもそも、この部分への電気柵の施設は不要であったなどの判断も可能となる。
【００５３】
カメラ３００の撮像画像は、付属メモリーをカメラ３００から、取り出して、外部機器である、パソコン機器などのコントローラ４００に取り込むことができる。これは市販のカードリーダを用いて行えばよい。
コントローラ４００の場合、大容量のＨＤなどのメモリー装置が内臓（外付けも可）できるため、長期間に渡って、大量のデータの蓄積を行うことができる。
このコントローラ４００には、害獣接触検知手段２００の送信部２６０を通じて、接触カウント手段２２０の接触回数、接触日時記録手段２４０の接触日時も、転送して、蓄積することができる。
【００５４】
また、カメラ３００の撮像画像は、カメラ内臓の通信プログラム、応用ソフトにより、害獣検知センサ部２００の受信部２７０を通じて、制御部１００側に貯蔵させることもできる。例えば、制御部１００側にＨＤなどの外部メモリー１６０を設け、これに転送させればよい。この外部メモリー１６０は、取り外して、コントローラ４００に接続して、使用することができる。また、外部メモリー１６０を取り外さなくとも、害獣検知センサ部２００の送信部２６０を通じて、内部データを、コントローラ４００側に転送することもできる。これらの転送は、無線でも、有線でも対応することができる。
【００５５】
カメラ３００の付属メモリーや、外部メモリー１６０の取り外しは、面倒であるため、対応する通信プログラム、応用ソフトを組み込んで、インターネットの通信手段６００を通じて、コントローラ４００に転送することもできる。
この場合、電気柵２０の現場まで行く必要がなく、良好な作業性が得られる。また、コントローラ４００に害獣７０の出没状況をリアルタイムに転送することができる。
インターネットの通信手段６００と連携させた場合、所定の携帯電話５００に害獣検知センサ部２００からの害獣７０の接触回数、接触日時、撮像画像をリアルタイムに伝送することもできる。インターネット接続の場合、コストが嵩むものの（制御部１００などに、インターネットとの接続用の部品、素子などを組み込む必要があるため）、大規模農場、ゴルフ場などでは十分な実用性が得られる。
ゴルフ場の場合、夜間に害獣７０によって荒らされると、その事実を迅速に察知できないと、仮修理などの処置が遅れて、早朝スタートに間に合わない場合がある。このため、携帯電話５００への伝送には大きな利点が得られる。
【００５６】
このような観点から、図１０に示すように、データ表示手段２３０を携帯型の液晶表示器２３０ｃとすることもできる。
この場合、複数行表示タイプのもので、表示器表面の上段の数字「３」は接触回数、２３１はそのタイトル名である。下段の表示は複数回の接触日時、２３２はそのタイトル名である。例えば、接触回数の表示数を１０行とした場合、これを超えるときには、近傍に設けた切替ボタン（スイッチ）２３３の操作で、切り替えるようにしてある。２３４は表示をリセットするためのリセットスイッチである。この切り替えは、スクロール型の応用ソフトを組み込んで、画面のスクロール（上下動）によって行ってもよい。
【００５７】
このデータ表示手段２３０の本体には、必要な通信プログラム、応用ソフトが組み込まれており、害獣検知センサ部２００の送信部２６０、受信部２７０を通じて、無線や有線で、直接システム本体６０の制御部１００と連携させることができる。
さらに、インターネットの通信手段６００とも連携させて、インターネットを通じて、この携帯型の液晶表示器の表示機能を発揮させることもできる。
また、このような機能を用いて、データ表示手段２３０を携帯電話５００で、代用させることもできる。携帯型の液晶表示器２３０ｃや携帯電話５００を、データ表示手段２３０として連携させた場合でも、これらとは別に、システム本体６０の正面などに液晶表示器２３０ａ、２３０ｂを設けておくことができる。
【符号の説明】
【００５８】
１０・・・耕作地エリア
２０・・・電気柵
３０・・・裸電線
４０・・・支柱
４１、４２・・・導電性フック碍子
４１ａ、４３、４４・・・プラス又はマイナス電位延設部
４１ｂ，４２ｂ・・・装着部
４１ｃ，４２c・・・フック部
６０・・・システム本体
６１・・・高圧線
６２・・・アース線
１００・・・制御部
１１０・・・メモリー部
１２０・・・電源切替部
１３０・・・稼働切替スイッチ
１４０・・・出力ランプ
１５０・・・受光センサ
２００・・・害獣検知センサ部
２１０・・・害獣接触検知手段
２２０・・・接触カウント手段
２３０・・・データ表示手段
２４０・・・接触日時記録手段
２５０・・・誤動作防止手段
２６０・・・送信部
２７０・・・受信部
３００・・・カメラ
４００・・・外部機器
５００・・・携帯電話
６００・・・インターネットの通信手段
【図１】
0006461515.tif 000002
【図２】
0006461515.tif 000003
【図３】
0006461515.tif 000004
【図４】
0006461515.tif 000005
【図５】
0006461515.tif 000006
【図６】
0006461515.tif 000007
【図７】
0006461515.tif 000008
【図８】
0006461515.tif 000009
【図９】
0006461515.tif 000010
【図１０】
0006461515.tif 000011